(57)【要約】【課題】電子ビューファインダモードと光学ファインダモードとを切り換えられる撮像装置において、不適切な撮影条件が設定されることを防止するとともに、操作部材の状態と撮像装置の設定状態とが不一致になることを防ぐ。【解決手段】第１の操作部材の位置によって設定される設定状態を表す第１の操作手段と、第２の操作部材の位置と設定される設定状態とが無関係である第２の操作手段とを有し、光学ファインダモード時に、第１の操作手段によって、電子ビューファインダモードに適さない設定が行われている場合には、電子ビューファインダモードへの切換動作を実行せず、第２の操作手段によって、電子ビューファインダモードに適さない設定が行われている場合には、第２の操作手段による電子ビューファインダモードに適さない設定を強制的に解除して、電子ビューファインダモードへの切換動作を実行する。【選択図】図３
2008191577.tif 000002
【特許請求の範囲】
【請求項１】
光学ファインダと、
電子ビューファインダと、
前記電子ビューファインダにて被写体を観察する電子ビューファインダモードと、前記光学ファインダにて被写体を観察する光学ファインダモードとを切り換えるファインダモード切換手段と、
第１の操作部材の位置によって設定される設定状態を表す第１の操作手段と、
第２の操作部材の位置と設定される設定状態とが無関係である第２の操作手段と、
前記光学ファインダモード時に、前記第１の操作手段によって、前記電子ビューファインダモードに適さない設定が行われている場合には、前記電子ビューファインダモードへの切換動作を実行せず、前記第２の操作手段によって、前記電子ビューファインダモードに適さない設定が行われている場合には、前記第２の操作手段による前記電子ビューファインダモードに適さない設定を強制的に解除して、前記電子ビューファインダモードへの切換動作を実行するように制御する制御手段と
を有することを特徴とする撮像装置。
【請求項２】
前記第１の操作手段による前記電子ビューファインダモードに適さない設定が行われていることで、前記電子ビューファインダモードへの切換動作を実行できない場合、または前記第２の操作手段による前記電子ビューファインダモードに適さない設定を強制的に解除したことを警告する警告手段をさらに有することを特徴とする請求項１に記載の撮像装置。
【請求項３】
前記第２の操作手段による前記電子ビューファインダモードに適さない設定を強制的に解除して、前記電子ビューファインダモードへの切換動作を実行したのち、再度前記光学ファインダモードに切り換えられる場合に、前記制御手段は、解除した設定を再現するように制御することを特徴とする請求項１または請求項２に記載の撮像装置。
【請求項４】
光学ファインダと、
電子ビューファインダと、
前記電子ビューファインダにて被写体を観察する電子ビューファインダモードと、前記光学ファインダにて被写体を観察する光学ファインダモードとを切り換えるファインダモード切換手段と、
第１の操作部材の位置によって設定される設定状態を表す第１の操作手段と、
第２の操作部材の位置と設定される設定状態とが無関係である第２の操作手段と、
前記電子ビューファインダモード時に、前記第１の操作手段によって、前記電子ビューファインダモードに適さない設定が行われた場合には、強制的に前記光学ファインダモードへの切換動作を実行し、前記第２の操作手段によって、前記電子ビューファインダモードに適さない設定が行われた場合には、前記電子ビューファインダモードを維持したまま、前記第２の操作手段による前記電子ビューファインダモードに適さない設定を実行しないように制御する制御手段と
を有することを特徴とする撮像装置。
【請求項５】
前記第１の操作部材はモードダイアルであり、前記第２の操作部材は押し釦スイッチであることを特徴とする請求項１乃至請求項４のいずれかに記載の撮像装置。
【請求項６】
前記第１の操作部材は、撮影モードを設定する撮影モードダイアルであり、前記第２の操作部材は、ＡＦ動作モードを設定する押し釦スイッチであることを特徴とする請求項１乃至請求項４のいずれかに記載の撮像装置。
【請求項７】
前記第１の操作手段によって設定される前記電子ビューファインダモードに適さない設定は、移動体の撮影に適した撮影モードであり、前記第２の操作手段によって設定される前記電子ビューファインダモードに適さない設定は、ＡＦ動作を連続的に繰り返すＡＦ動作モードであることを特徴とする請求項６に記載の撮像装置。
【請求項８】
前記第１の操作部材は、撮影モードを設定する撮影モードダイアルであり、前記第２の操作部材は、測光動作モードを設定する押し釦スイッチであることを特徴とする請求項１乃至請求項４のいずれかに記載の撮像装置。
【請求項９】
前記第１の操作手段によって設定される前記電子ビューファインダモードに適さない設定は、移動体の撮影に適した撮影モードであり、前記第２の操作手段によって設定される前記電子ビューファインダモードに適さない設定は、撮影範囲を部分的に測光する部分測光モードであることを特徴とする請求項８に記載の撮像装置。
【発明の詳細な説明】
【技術分野】
【０００１】
本発明は、電子ビューファインダモードと光学ファインダモードとを切り換えられる撮像装置に関する。
【背景技術】
【０００２】
近年、一眼レフレックス方式のデジタルカメラには、本体のモニタに被写体像を表示するライブビュー機能を有するものがある。このようなデジタルカメラは光学ファインダによる観察モード（光学ファインダモード）と、ライブビューによる観察モード（ライブビューモード）とを切り換えて使用することができる（例えば、特許文献１参照）。
【特許文献１】特開２００６−１６３０９４号公報
【発明の開示】
【発明が解決しようとする課題】
【０００３】
上記のデジタルカメラは、カメラの動作モードがどのような場合でも、光学ファインダモードからライブビューモードに自由に切り換えることができるように構成されている。しかしながら、光学ファインダモードとライブビューモードではＡＦ方式や測光方式が変わってしまうために、現状ではライブビューモードには適さない動作モードも存在する。
【０００４】
本発明はこのような問題点に鑑みてなされたものであって、電子ビューファインダモード（ライブビューモード）と光学ファインダモードとを切り換えられる撮像装置において、不適切な撮影条件が設定されることを防止するとともに、操作部材の状態と撮像装置の設定状態とが不一致になることを防ぐことを目的とする。
【課題を解決するための手段】
【０００５】
上記目的を達成するために、本発明は、光学ファインダと、電子ビューファインダと、前記電子ビューファインダにて被写体を観察する電子ビューファインダモードと、前記光学ファインダにて被写体を観察する光学ファインダモードとを切り換えるファインダモード切換手段と、第１の操作部材の位置によって設定される設定状態を表す第１の操作手段と、第２の操作部材の位置と設定される設定状態とが無関係である第２の操作手段と、前記光学ファインダモード時に、前記第１の操作手段によって、前記電子ビューファインダモードに適さない設定が行われている場合には、前記電子ビューファインダモードへの切換動作を実行せず、前記第２の操作手段によって、前記電子ビューファインダモードに適さない設定が行われている場合には、前記第２の操作手段による前記電子ビューファインダモードに適さない設定を強制的に解除して、前記電子ビューファインダモードへの切換動作を実行するように制御する制御手段とを有することを特徴とする。
【０００６】
また、本発明は、光学ファインダと、電子ビューファインダと、前記電子ビューファインダにて被写体を観察する電子ビューファインダモードと、前記光学ファインダにて被写体を観察する光学ファインダモードとを切り換えるファインダモード切換手段と、第１の操作部材の位置によって設定される設定状態を表す第１の操作手段と、第２の操作部材の位置と設定される設定状態とが無関係である第２の操作手段と、前記電子ビューファインダモード時に、前記第１の操作手段によって、前記電子ビューファインダモードに適さない設定が行われた場合には、強制的に前記光学ファインダモードへの切換動作を実行し、前記第２の操作手段によって、前記電子ビューファインダモードに適さない設定が行われた場合には、前記電子ビューファインダモードを維持したまま、前記第２の操作手段による前記電子ビューファインダモードに適さない設定を実行しないように制御する制御手段とを有することを特徴とする。
【発明の効果】
【０００７】
本発明によれば、電子ビューファインダモードと光学ファインダモードとを切り換えられる撮像装置において、不適切な撮影条件が設定されることを防止するとともに、操作部材の状態と撮像装置の設定状態とが不一致になることを防ぐことができる。
【発明を実施するための最良の形態】
【０００８】
以下、本発明を実施するための最良の形態について、図面を参照して説明する。
【０００９】
図１は、本発明の一実施の形態に係る撮像装置の機械的構成を示す内部構成図である。この撮像装置は、一眼レフレックス方式の電子スチルカメラ（デジタルカメラ）である。
【００１０】
図１において、１０１はカメラ本体、１０２は取り外し可能な撮影レンズ、１０３は撮影レンズ１０２内に配置された結像光学系であり、結像光学系１０３は、物体像を撮像素子１０９に結像させるものである。１０４は、撮影レンズ１０２内にあって、絞り径を変化させて露出量を調節する絞り機構である。１０５は、可動型のハーフミラーで構成された主ミラーであり、結像光学系１０３から送られた光の一部を反射して、ファインダ光学系１１４側に送る。１０６は、主ミラー１０５の背後に設けられた可動形のサブミラーであり、主ミラー１０５を透過した光のうち光軸に近い光束を反射して焦点検出部１０７に送る。１０８はシャッタ機構である。
【００１１】
撮影の際やモニタ表示／動画撮影の際には、主ミラー１０５およびサブミラー１０６を光路上から退避させるとともに、シャッタ機構１０８を開口させ、撮影レンズ１０２からの光束を撮像素子１０９に直接導くようにする。
【００１２】
１１０は、カメラ本体１０１の背面に配置された、モニタ画像を表示するための表示部である。
【００１３】
１１１は、ファインダ光学系１１４における物体像の結像面に配置されたフォーカシングスクリーン、１１２はペンタプリズム、１１３は、光学ファインダ像を観察する為の接眼レンズである。このフォーカシングスクリーン１１１、ペンタプリズム１１２、接眼レンズ１１３にてファインダ光学系１１４を構成する。１３１は、ファインダ光学系１１４の内部に配置された測光部である。
【００１４】
１１５は撮影モードダイアル（第１の操作部材）、１１６はレリーズスイッチ、１１７はファインダモード切換スイッチ、１１８はＡＦ動作モード切換ボタン（第２の操作部材）、１１９は測光動作モード切換ボタン（第２の操作部材）である。このファインダモード切換スイッチ１１７は、ライブビュー画像（電子ビューファインダ画像）を参照した静止画撮影を許可または禁止するためのスイッチである。ＡＦ動作モード切換ボタン１１８は、ＡＦ動作モードを切り換える押しボタンスイッチであり、これを繰り返し押すことで、ＡＦ動作モードを「ワンショットＡＦ」と「サーボＡＦ」との間でオルタネイティブに切り換えることができる。現在設定されている動作モードは表示部１１０に表示される。したがって、ＡＦ動作モード切換ボタン１１８の状態と現在設定されているＡＦ動作モードとは無関係な操作部材となっている。同様に、測光動作モード切換ボタン１１９は、測光動作モードを切り換える押しボタンスイッチであり、これを繰り返し押すことで、測光動作モードを「評価測光」と「部分測光」との間でオルタネイティブに切り換えることができる。現在設定されている動作モードは表示部１１０に表示される。したがって、測光動作モード切換ボタン１１９の状態と現在設定されている測光動作モードとは無関係な操作部材となっている。
【００１５】
図２は、図１に示す撮像装置の電気的構成を示すブロック図である。
【００１６】
図２において、１２０はＡ／Ｄ変換部であり、撮像素子１０９から出力されたアナログ画像信号をデジタル画像信号に変換する。１２１は撮像処理部であり、Ａ／Ｄ変換部１２０から出力されたデジタル画像信号に対して、画素情報の各種補正、ＲＢＧ信号のＹＣ信号への変換、ホワイトバランス処理、ガンマ補正処理、信号補間処理等を行う。１２２は記録部であり、撮像処理部１２１によって得られた画像情報を記録する。１２３は制御部であり、カメラ本体１０１を構成する各部を制御する。制御部１２３は、図示を省略するが、例えば中央演算装置（ＣＰＵ）、ＣＰＵが実行するプログラムを記憶するＲＯＭ（Read Only Memory）、ＣＰＵが演算に使用するＲＡＭ（Random Access Memory）等から構成される。
【００１７】
１２４は再生部であり、記録部１２２によって記録された画像情報を、表示部１１０に画像表示することが可能な信号形態に変換する。１２５は、撮影モードダイアル１１５、レリーズスイッチ１１６、ファインダモード切換スイッチ１１７、ＡＦ動作モード切換ボタン１１８、測光モード切換ボタン１１９等を含む入力部である。
【００１８】
図６は、撮影モードダイアル１１５の詳細な構成を示す外観図である。
【００１９】
撮影モードダイアル１１５には、各撮影モードに対応するダイアルアイコン１１５ａ〜１１５ｍが円周に沿ってそれぞれ配置される。カメラ本体１０１に設けられるダイアル指標２１に向き合っているダイアルアイコンが、選択されているダイアルアイコンである。すなわち、撮影モードダイアル１１５の回転位置が、そのまま現在設定されている撮影モードを表している。
【００２０】
ダイアルアイコン１１５ａは「ＯＦＦ」を表し、このダイアルアイコン１１５ａが選択されると、カメラ本体１０１の電源をオフすることができる。
【００２１】
ダイアルアイコン１１５ｂは「全自動モード」を表す。このダイアルアイコン１１５ｂが選択されると、あらかじめ定められたシャッタ速度（以下「Ｔｖ値」）と絞り値（以下「Ａｖ値」）との複数の組み合わせの中から、測光した結果に対応した組み合わせが選択される。また全自動モードでは、ＡＦ動作モードボタン１１８の操作状態に関わらず、ワンショットＡＦからサーボＡＦに自動的に切り換えられる。ワンショットＡＦとは、一度ピントが合うと、そこで焦点距離を固定するＡＦ動作モードである。サーボＡＦとは、被写体の動きに合わせてピント合わせを連続的に行うＡＦ動作モードである。
【００２２】
ダイアルアイコン１１５ｃは「ポートレートモード」を表し、このダイアルアイコン１１５ｃが選択されると、人物撮影に適した撮影条件の下で撮影が行われる。ポートレートモードでは、ＡＦ動作モードボタン１１８の操作状態に関わらず、ＡＦ動作モードがワンショットＡＦとなる。
【００２３】
ダイアルアイコン１１５ｄは「風景モード」を表し、このダイアルアイコン１１５ｄが選択されると、風景撮影に適した撮影条件の下で撮影が行われる。風景モードでは、ＡＦ動作モードボタン１１８の操作状態に関わらず、ＡＦ動作モードがワンショットＡＦとなる。
【００２４】
ダイアルアイコン１１５ｅは「クローズアップモード」を表し、このダイアルアイコン１１５ｅが選択されると、花や虫を大きく写すことができる。クローズアップモードでは、ＡＦ動作モードボタン１１８の操作状態に関わらず、ＡＦ動作モードがワンショットＡＦとなる。
【００２５】
ダイアルアイコン１１５ｆは「スポーツモード」を表し、このダイアルアイコン１１５ｆが選択されると、動きのある被写体の撮影に適した撮影条件の下で撮影が行われる。スポーツモードでは、ＡＦ動作モードボタン１１８の操作状態に関わらず、ＡＦ動作モードがサーボＡＦとなる。
【００２６】
ダイアルアイコン１１５ｇは「夜景モード」を表し、このダイアルアイコン１１５ｇが選択されると、夜間でも手前の被写体と、ストロボ光が届かない風景との双方が適正露出となるような撮影が行われる。夜景モードでは、ＡＦ動作モードボタン１１８の操作状態に関わらず、ＡＦ動作モードがワンショットＡＦとなる。
【００２７】
ダイアルアイコン１１５ｈは「ストロボ禁止全自動モード」を表し、このダイアルアイコン１１５ｈが選択されると、ストロボの発光が禁止された撮影が行われ、この禁止以外は全自動モードと同じである。
【００２８】
これらダイアルアイコン１１５ｂ〜１１５ｈは、被写体のイメージ（画像タイプ）を選択することで最適な撮影を行うことができるようにした撮影モード選択領域であり、これらは「イメージゾーン」と呼ばれている。イメージゾーンにおけるダイアルアイコン１１５ｂ〜１１５ｈの各撮影モードにおいては、測光動作モードボタン１１９の操作状態に関わらず、測光動作が評価測光となる。
【００２９】
ダイアルアイコン１１５ｉは「プログラムモード」を表し、このダイアルアイコン１１５ｉが選択されると、所定のＴｖ値とＡｖ値との複数の組み合わせの中から、測光結果に対応した組み合わせが選択される。
【００３０】
ダイアルアイコン１１５ｊは「シャッタ優先ＡＥモード」を表し、このダイアルアイコン１１５ｊが選択されると、使用者が選択したＴｖ値に基づき、測光結果に応じたＡｖ値が決定される。
【００３１】
ダイアルアイコン１１５ｋは「絞り優先ＡＥ」を表し、このダイアルアイコン１１５ｋが選択されると、使用者が選択したＡｖ値に基づき、測光結果に応じたＴｖ値が決定される。
【００３２】
ダイアルアイコン１１５ｌは「マニュアルモード」を表し、このダイアルアイコン１１５ｌが選択されると、使用者が決めたＴｖ値およびＡｖ値に基づき撮影が行われる。
【００３３】
ダイアルアイコン１１５ｍは「自動深度優先ＡＥモード」を表し、このダイアルアイコン１１５ｍが選択されると、被写体を捉えた全てのＡＦエリアで合焦するようにＡｖ値が決められ、そのＡｖ値に基づき、測光結果に応じたＴｖ値が決定される。自動深度優先ＡＥモードでは、ＡＦ動作モードボタン１１８の操作状態に関わらず、同時に複数のＡＦエリアにおいて焦点位置の検出を行うＡＦ動作が行われる。
【００３４】
これらダイアルアイコン１１５ｉ〜１１５ｍの撮影モード領域を「クリエイティブゾーン」と呼ぶ。クリエイティブゾーンにおけるダイアルアイコン１１５ｉ〜１１５ｍの各撮影モードにおいては、撮影者がＡＦ動作モードボタン１１８を操作して、ワンショットＡＦまたはサーボＡＦを任意に設定することができる。また、クリエイティブゾーンにおける各撮影モードにおいては、撮影者が測光動作モードボタン１１９を操作して、評価測光または部分測光を任意に設定することができる。
【００３５】
ファインダモード切換スイッチ１１７を操作することによって、ファインダ光学系１１４による被写体観察モード（光学ファインダモード）と、表示部１１０による被写体観察モード（電子ビューファインダモード）とのうちの一方を選択することができる。表示部１１０による被写体観察モード（電子ビューファインダモード）を選択すると、後述の図３に示す処理が実行される。また、ファインダ光学系１１４による被写体観察モード（光学ファインダモード）を選択すると、後述の図４に示す処理が実行される。
【００３６】
本実施の形態のデジタルカメラでは、撮影モードがスポーツモードである場合、電子ビューファインダモードを選択することはできない。すなわち、スポーツモードではＡＦ動作モードが自動的にサーボＡＦとなる。一方、一眼レフレックス方式のデジタルカメラでは一般的に、電子ビューファインダモードに設定されているとき、主ミラー１０５、サブミラー１０６ともに撮影光路外に退避する。したがって、焦点検出部１０７でのＡＦ動作ができなくなり、ＡＦ動作は、撮像素子１０９による撮像面ＡＦとなる。しかし、撮像面ＡＦは移動する被写体には向かないＡＦ動作であるので、電子ビューファインダモードでのスポーツモードは、動きのある被写体の撮影に適した撮影モードとは言い難い。そこで本実施の形態では、撮影モードがスポーツモードである場合には、電子ビューファインダモードに切り換えないようにしている。そして、電子ビューファインダモードにおいては、ＡＦ動作モードをワンショットＡＦに固定して、サーボＡＦに切り換えることができないようにしている。
【００３７】
また、撮像面ＡＦでは、同時に複数のＡＦエリアで焦点位置を検出するＡＦ動作を行うことができないので、本実施の形態のデジタルカメラでは、撮影モードが自動深度優先ＡＥモードである場合には、電子ビューファインダモードに切り換えることができない。
【００３８】
図２に戻って、１２６は露出制御部であり、測光部１３１または撮像素子１０９で測定された露出量に応じて絞り機構１０４やシャッタ機構１０８の動作制御を行う。すなわち一般的に、一眼レフレックス方式のデジタルカメラでは、光学ファインダモードの場合、測光部１３１にて測光することができる。しかしながら、電子ビューファインダモードに設定されているときには、主ミラー１０５、サブミラー１０６ともに撮影光路外に退避するので、撮像素子１０９で撮像面ＡＥを行う。
【００３９】
測光動作モードが評価測光である場合には、測光部１３１による測光結果と、撮像素子１０９による測光結果とを一致させることは比較的容易である。しかし、測光動作モードが部分測光である場合には、測光部１３１による測光結果と、撮像素子１０９による測光結果とを一致させることは困難である。そこで、本実施の形態のデジタルカメラでは、電子ビューファインダモードにあるときは、測光動作モードを評価測光に固定して、部分測光に切り換えることができないようにしている。
【００４０】
次に、上記撮像装置の動作を説明する。
【００４１】
まず、光学ファインダモードから電子ビューファインダモードへの切換について、図３を参照して説明する。
【００４２】
図３は、光学ファインダモードから電子ビューファインダモードへの切換動作時に、制御部１２３において行われる処理を示すフローチャートである。
【００４３】
なお、ファインダモード切換スイッチ１１７により、ライブビュー画像（電子ビューファインダ画像）を参照した静止画撮影が許可されるべく設定されていることを前提にする。こうした設定状態において、ファインダモード切換スイッチ１１７によって光学ファインダモードから電子ビューファインダモードに切り換えられたと判定すると、図３に示す処理が実行される。
【００４４】
まず、撮影モードダイアル１１５の位置を確認する（Ｓ１０１）。そして、撮影モードダイアル１１５によって設定される撮影モードが、スポーツモードまたは自動深度優先ＡＥモードであるか否かを判定する（Ｓ１０２）。その結果、設定される撮影モードがスポーツモードまたは自動深度優先ＡＥモードであれば、ステップＳ１０４に進み、一方、設定される撮影モードがスポーツモードおよび自動深度優先ＡＥモード以外であればステップＳ１０３へ進む。
【００４５】
ステップＳ１０４では、電子ビューファインダモードに切り換えることができない旨をユーザに通知するための警告表示を表示部１１０に対して行う。
【００４６】
ステップＳ１０３では、現在設定されているＡＦ動作モードおよび測光動作モードを確認する。そして、現在設定されているＡＦ動作モードがサーボＡＦか否かを判別する（Ｓ１０５）。その結果、現在設定されているＡＦ動作モードがサーボＡＦであれば、ステップＳ１０７へ進み、現在設定されているＡＦ動作モードがワンショットＡＦであれば、ステップＳ１０９へ進む。
【００４７】
ステップＳ１０７では、現在設定されているＡＦ動作モードをサーボＡＦからワンショットＡＦに強制変更する。そして、ＡＦ動作モードの変更が行われた旨をユーザに通知するための警告表示を表示部１１０に対して行い（Ｓ１０８）、ステップＳ１０９へ進む。
【００４８】
ステップＳ１０９では、現在設定されている測光動作モードが部分測光か否かを判別する。その結果、現在設定されている測光動作モードが部分測光であれば、ステップＳ１１０へ進み、現在設定されている測光動作モードが評価測光であれば、ステップＳ１０６へ進む。
【００４９】
ステップＳ１１０では、現在設定されている測光動作モードを部分測光から評価測光に強制変更する。そして、測光動作モードの変更が行われた旨をユーザに通知するための警告表示を表示部１１０に対して行い（Ｓ１１１）、ステップＳ１０６へ進む。
【００５０】
ステップＳ１０６では、電子ビューファインダモードへの切り換え動作を実行する。
【００５１】
このように、ダイアルのような、操作部材の位置によって設定される設定状態を表す操作部材によって、電子ビューファインダモードに適さない設定がされている場合には、電子ビューファインダモードへの切換動作を禁止している。これは、電子ビューファインダモードに適さない設定が、操作部材の位置によって設定状態を表す操作部材によって設定された場合には、その設定を強制的に解除してしまうと、操作部材の位置と設定される設定状態とが不一致になるからである。
【００５２】
一方、押しボタンスイッチのような、操作部材の位置と設定される設定状態とが無関係である操作部材によって、電子ビューファインダモードに適さない設定がされている場合には、その設定を強制的に解除して、電子ビューファインダモードへの切換動作を行うようにする。電子ビューファインダモードに適さない設定が、操作部材の位置と設定される設定状態とが無関係である操作部材によって設定された場合には、その設定を強制的に解除しても、操作部材の位置と設定される設定状態とが不一致になることがない。
【００５３】
次に、電子ビューファインダモードから光学ファインダモードへの切換について、図４を参照して説明する。
【００５４】
図４は、電子ビューファインダモードから光学ファインダモードへの切換動作時に、制御部１２３において行われる処理を示すフローチャートである。
【００５５】
ファインダモード切換スイッチ１１７が操作されて、電子ビューファインダモードから光学ファインダモードへ切り換えられると、図４に示す処理が実行される。なお、電子ビューファインダモードを長時間継続すると撮像素子１０９が熱を発するので、制御部１２３が強制的に電子ビューファインダモードから光学ファインダモードへ切り換える場合がある。この場合も、図４に示す処理が実行される。
【００５６】
まず、ライブビュー画像（電子ビューファインダ画像）を参照した静止画撮影の開始時に、ＡＦ動作モードまたは測光動作モードの強制変更があったか否かを確認する（Ｓ２０１）。すなわち、図３に示すステップＳ１０７においてＡＦ動作モードの強制変更があったか否か、また図３に示すステップＳ１１０において測光動作モードの強制変更があったか否かを確認する。その結果、ＡＦ動作モードおよび／または測光動作モードの強制変更があったならば（Ｓ２０２でＹＥＳ）ステップＳ２０４へ進み、ＡＦ動作モードおよび／または測光動作モードの強制変更がなかったならば（Ｓ２０２でＮＯ）ステップＳ２０３へ進む。
【００５７】
ステップＳ２０４では、図３に示すステップＳ１０７において強制変更されたＡＦ動作モードおよび／または図３に示すステップＳ１１０において強制変更された測光動作モードを、強制変更前のＡＦ動作モードおよび／または測光動作モードに復元する。そして、図３に示すステップＳ１０８および／またはステップＳ１１１で行った警告表示を解除して、ＡＦ動作モードおよび／または測光動作モードの表示を更新し（Ｓ２０５）、ステップＳ２０３へ進む。
【００５８】
ステップＳ２０３では、電子ビューファインダモードから光学ファインダモードへの切り換え動作を実行する。
【００５９】
次に、電子ビューファインダモード中において、撮影モードダイアル１１５、ＡＦ動作モードボタン１１８、または測光動作モード切換ボタン１１９が操作された場合の撮像装置の動作について、図５を参照して説明する。
【００６０】
図５は、電子ビューファインダモード中において、撮影モードダイアル１１５、ＡＦ動作モードボタン１１８、または測光動作モード切換ボタン１１９が操作されたときに、制御部１２３において行われる処理を示すフローチャートである。
【００６１】
電子ビューファインダモード中において、撮影モードダイアル１１５、ＡＦ動作モードボタン１１８、または測光動作モード切換ボタン１１９が操作されると、図５に示す処理が実行される。
【００６２】
まず、撮影モードダイアル１１５が操作されたのか、ＡＦ動作モードボタン１１８または測光動作モード切換ボタン１１９が操作されたのかを確認する（Ｓ３０１）。その結果、操作された操作部材が、撮影モードダイアル１１５であるならば（Ｓ３０２でＹＥＳ）ステップＳ３０３へ進む。一方、ＡＦ動作モードボタン１１８または測光動作モード切換ボタン１１９が操作されたのであれば（Ｓ３０２でＮＯ）ステップＳ３０４へ進む。
【００６３】
ステップＳ３０３では、撮影モードダイアル１１５によってスポーツモードまたは自動深度優先ＡＥモードに変更されたか否かを判別する。その結果、撮影モードダイアル１１５によってスポーツモードまたは自動深度優先ＡＥモードに変更されていれば、ステップＳ３０７へ進む。一方、撮影モードダイアル１１５によってスポーツモードおよび自動深度優先ＡＥモード以外の撮影モードに変更されていれば、ステップＳ３０５へ進む。
【００６４】
ステップＳ３０７では、図４に示す電子ビューファインダモードから光学ファインダモードへの切換の処理に移行し、本処理を終了する。
【００６５】
ステップＳ３０５では、撮影モードダイアル１１５によって変更された撮影モードを実行し、本処理を終了する。
【００６６】
ステップＳ３０４では、ＡＦ動作モードボタン１１８によってワンショットＡＦからサーボＡＦに変更されたか否かを判別する。その結果、ワンショットＡＦからサーボＡＦに変更された場合には、ステップＳ３０６へ進み、ワンショットＡＦのままであれば、ステップＳ３０８に進む。
【００６７】
ステップＳ３０６では、サーボＡＦへの変更を受け付けず、電子ビューファインダモード中はサーボＡＦに変更できない旨を警告表示して、ステップＳ３０８に進む。
【００６８】
ステップＳ３０８では、測光動作モードボタン１１９によって評価測光から部分測光に変更されたか否かを判別する。その結果、評価測光から部分測光に変更された場合には、ステップＳ３０９へ進み、評価測光のままであれば、本処理を終える。
【００６９】
ステップＳ３０９では、部分測光への変更を受け付けず、電子ビューファインダモード中は部分測光に変更できない旨を警告表示して、本処理を終える。
【００７０】
以上のように、本実施の形態によれば、ライブビュー画像（電子ビューファインダ画像）および非ライブビュー画像（光学ファインダ画像）を参照した各静止画撮影の相互遷移時において、両者における各設定値が自動的に整合される。また、整合に関わる警告表示が行われる。これによって、優れた操作性を実現している。
【００７１】
〔他の実施の形態〕
本発明の目的は、以下の処理を実行することによって達成される。すなわち、上述した実施の形態の機能を実現するソフトウェアのプログラムコードを記録した記憶媒体を、システムまたは装置に供給する。そして、そのシステムまたは装置のコンピュータ（またはＣＰＵやＭＰＵ等）が記憶媒体に格納されたプログラムコードを読み出す処理である。
【００７２】
この場合、記憶媒体から読み出されたプログラムコード自体が前述した実施の形態の機能を実現することになり、そのプログラムコード及び該プログラムコードを記憶した記憶媒体は本発明を構成することになる。
【００７３】
また、プログラムコードを供給するための記憶媒体としては、次のものを用いることができる。すなわち例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードを、ネットワークを介してダウンロードしてもよい。
【００７４】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００７５】
更に、前述した実施の形態の機能が以下の処理によって実現される場合も本発明に含まれる。すなわち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００７６】
【図１】本発明の一実施の形態に係る撮像装置の機械的構成を示す内部構成図である。
【図２】図１に示す撮像装置の電気的構成を示すブロック図である。
【図３】光学ファインダモードから電子ビューファインダモードへの切換動作時に、制御部において行われる処理を示すフローチャートである。
【図４】電子ビューファインダモードから光学ファインダモードへの切換動作時に、制御部において行われる処理を示すフローチャートである。
【図５】電子ビューファインダモード中において、撮影モードダイアル、ＡＦ動作モードボタン、または測光動作モード切換ボタンが操作されたときに、制御部において行われる処理を示すフローチャートである。
【図６】撮影モードダイアルの詳細な構成を示す外観図である。
【符号の説明】
【００７７】
１０１：カメラ本体
１０２：撮影レンズ
１０３：結像光学系
１０４：絞り機構
１０５：主ミラー
１０６：サブミラー
１０７：焦点検出部
１０８：シャッタ機構
１０９：撮像素子
１１０：表示部（画像表示部）
１１１：フォーカシングスクリーン
１１２：ペンタプリズム
１１３：接眼レンズ
１１４：ファインダ光学系（光学式ファインダ）
１１５：撮影モードダイアル
１１６：レリーズスイッチ
１１７：ファインダモード切換スイッチ
１１８：ＡＦ動作モード切換ボタン
１２０：Ａ／Ｄ変換部
１２１：撮像系処理部
１２２：記憶部
１２３：制御部
１２４：再生部
１２５：入力部
１３１：測光部
【図１】
2008191577.tif 000003
【図２】
2008191577.tif 000004
【図３】
2008191577.tif 000005
【図４】
2008191577.tif 000006
【図５】
2008191577.tif 000007
【図６】
2008191577.tif 000008